(57)【要約】【課題】別途係止具を用意することなく、簡易且つ強固に敷設パネルを連結することができるとともに、作業機械の荷重を周囲に配列されている敷設パネルに分散することが可能な作業用敷設パネルを提供する。【解決手段】土木作業、建設作業および解体作業などに使用する作業機械の作業現場に敷設するための敷設パネル１であって、厚みをＤとして構成されたパネル本体８と、このパネル本体８を側面視した場合に、該パネル本体８の上面８Ａから厚みＤ未満の深さをもって形成された鍵穴部２０と、パネル本体８の上面から厚みＤ未満の厚みをもって該パネル本体８の側面から外側に向かって突出して形成された鍵部１０と、を備える。該鍵部１０は、隣り合う他の敷設パネル１に形成された鍵穴部２０に嵌合可能である。【選択図】図１
2010065409.tif 000002
【特許請求の範囲】
【請求項１】
土木作業、建設作業および解体作業などに使用する作業機械の作業現場に敷設するための作業用敷設パネルであって、
所定の厚みをもって構成されたパネル本体と、
該パネル本体を側面視した場合に、該パネル本体の上面から前記所定の厚み未満の深さをもって形成された凹溝と、
該パネル本体の上面から前記所定の厚み未満の厚みをもって該パネル本体の側面から外側に向かって突出して形成された突起部と、を備え、
該突起部が、隣り合う他の敷設パネルに形成された前記凹溝に嵌合可能である
ことを特徴とする作業用敷設パネル。
【請求項２】
請求項１において、
前記凹溝の深さと前記突起部の厚みとが同一である
ことを特徴とする作業用敷設パネル。
【請求項３】
請求項１または２において、
前記凹溝と前記突起部とが前記パネル本体における同一の側面に形成されている
ことを特徴とする作業用敷設パネル。
【請求項４】
請求項１または２において、
前記凹溝と前記突起部とが前記パネル本体における異なる側面に形成されている
ことを特徴とする作業用敷設パネル。
【請求項５】
請求項１乃至４のいずれかにおいて、
前記パネル本体の全ての側面に前記凹溝若しくは前記突起部の少なくとも一方が形成されている
ことを特徴とする作業用敷設パネル。
【請求項６】
請求項１乃至５のいずれかにおいて、
前記パネル本体を平面視した場合に、前記突起部の先端部分が非先端部分よりも幅方向に大きくなるように構成されている
ことを特徴とする作業用敷設パネル。
【請求項７】
請求項１乃至６のいずれかにおいて、
前記パネル本体が２層以上の層状構造とされ、前記凹溝および前記突起部が特定の層内でのみ形成されている
ことを特徴とする作業用敷設パネル。
【請求項８】
請求項１乃至７の作業用敷設パネルを同一の種類で複数用意した上で、
特定の減振パネルに形成されている前記突起部を隣り合う他の作業用敷設パネルに形成されている前記凹溝に嵌合させて連結する
ことを特徴とする作業用敷設パネルの使用方法。
【請求項９】
請求項１乃至７のいずれかに記載の作業用敷設パネルを、
土木作業、建築作業、解体作業等の現場において、作業のための仮舗装の代わりに使用する
ことを特徴とする作業用敷設パネルの使用方法。
【発明の詳細な説明】
【技術分野】
【０００１】
本発明は、土木作業、建設作業および解体作業などに使用する作業機械の作業現場に敷設するための作業用敷設パネルの技術分野に関する。
【背景技術】
【０００２】
従来、図５に示す作業用敷設パネル（以下、単に敷設パネルという）１００が公知である（特許文献１参照）。
【０００３】
この敷設パネル１００は、建設重機稼動用として発明されたものであり、建設重機が移動する現場内に敷設して使用する。現場では、平面視した場合、略矩形の敷設パネル１００を複数並べて配置し、当該配置した敷設パネル１００同士が係止具１１０によって係止される。この係止具１１０による係止は、建設重機が当該敷設パネル１００上を移動等した場合に、敷設パネル１００の並びが乱れること等を防止するためである。
【０００４】
【特許文献１】特開平７−２７９４４３号公報
【発明の開示】
【発明が解決しようとする課題】
【０００５】
しかしながら、上記のように、敷設パネル１００同士を係止具１１０によって係止する場合には、当然ながら別途係止具１１０を準備する必要がある。また、敷設パネル１００同士を並べて配列した上で、係止具１１０を用いて敷設パネル１００を連結するという作業が必要となる。その上、敷設パネル１００の配置変更や撤収作業の際には、当該係止具１１０を取り外すという作業も必然的に付帯することになる。更に、特許文献１に示されている係止具１１０による連結では、その構造上、特定の敷設パネル１００にのみ作業機械の重みが過度にかかった際に、係止具１１０による係止が外れてしまう（抜けてしまう）可能性がある。このような係止具１１０の外れは、特に軟弱な地盤上に敷設パネル１００が配列されているような場合に発生する可能性が高い。
【０００６】
本発明は、これらの問題点を解決するべくなされたものであって、別途係止具を用意することなく、簡易に敷設パネルを連結することができるとともに、作業機械の荷重を周囲に配列されている敷設パネルに分散することが可能な作業用敷設パネルおよびその使用方法を提供することをその課題としている。
【課題を解決するための手段】
【０００７】
本発明は、土木作業、建設作業および解体作業などに使用する作業機械の作業現場に敷設するための作業用敷設パネルであって、所定の厚みをもって構成されたパネル本体と、該パネル本体を側面視した場合に、該パネル本体の上面から前記所定の厚み未満の深さをもって形成された凹溝と、該パネル本体の上面から前記所定の厚み未満の厚みをもって該パネル本体の側面から外側に向かって突出して形成された突起部と、を備え、該突起部を、隣り合う他の敷設パネルに形成された前記凹溝に嵌合可能とすることにより上記課題を解決するものである。
【０００８】
このような構成を採用したことによって、別途係止具を用いることなく、突起部と凹溝との嵌合によって隣り合う敷設パネルと連結することが可能となっている。よって、敷設パネルを配列すると同時に敷設パネル同士の連結も完了するため、敷設パネルの設置作業が簡易かつ短時間で完了する。勿論作業者は、敷設パネルの配置変更時や撤収時においても、わざわざ係止具を取り外すといった付帯作業は不要である。また、特定の敷設パネルにのみ作業機械からの荷重がかかった場合でも、突起部および凹溝を介して当該荷重を隣り合う敷設パネルに分散することが可能となり、例えば、軟弱地盤上に当該敷設パネルが配列されている場合でも、特定の敷設パネルが沈み込むことを防止することができると共に、パネル同士の連結が外れてしまうこともない。
【０００９】
また、凹溝の深さと突起部の厚みとを同一とすれば、連結時にフラットな面を提供でき、現場作業者が躓いてしまう等の危険を回避することが可能となる。
【００１０】
また、凹溝と突起部とがパネル本体における同一の側面に形成すれば、隣り合うパネルのいずれにのみ荷重がかかった場合でも、その荷重を突起部、凹溝を介してもれなく他の敷設パネル側へと分散することが可能となり、より連結強度に優れた敷設パネルを提供することができる。
【００１１】
また、凹溝と突起部とが前記パネル本体における異なる側面に形成すれば、連結作業が容易となる。
【００１２】
また、パネル本体の全ての側面に凹溝若しくは突起部の少なくとも一方を形成すれば、多数の他の敷設パネルと連結することが可能となるため、敷設パネルの連結自由度を高めることが可能となる。
【００１３】
また、パネル本体を平面視した場合に、突起部の先端部分が非先端部分よりも幅方向に大きくなるように構成すれば、水平方向に過度の引張力が発生した場合でも、当該幅広部分の存在によって、敷設パネルの連結が解かれることを防止することが可能となる。
【００１４】
また、パネル本体が２層以上の層状構造とされ、凹溝および突起部が特定の層内でのみ形成されるような構成とすれば、パネルの連結に必要な強度をもたせる上で有利な材料を選択して突起部や凹溝を形成できると共に、他の層では振動の減衰等に有利な材料を用いることができる。
【００１５】
なお本発明は、見方を変えると、上記の敷設パネルを同一の種類で複数用意した上で、特定の敷設パネルに形成されている前記突起部を隣り合う他の敷設パネルに形成されている前記凹溝に嵌合させて連結することを特徴とする敷設パネルの使用方法として捉えることも可能である。
【００１６】
なお、本発明に係る敷設パネルは、減振目的での敷設のほか、土木、建築、解体現場等で従来、（作業のための仮舗装の代わりに）いわゆる「敷鉄板」として鉄板を敷いていたような状況においても適用でき、軽量化、広い面積での容易な敷設、荷重の分散等の良好な作用を得ることができる。
【発明の効果】
【００１７】
本発明を適用することにより、敷設パネル単体での連結が可能となり、且つ、特定の敷設パネルに荷重が掛かった場合でも他の敷設パネルとの連結が外れてしまうことを防止できる。
【発明を実施するための最良の形態】
【００１８】
以下、添付図面を参照しつつ、本発明の実施形態の一例について詳細に説明する。
【００１９】
図１は、本発明の実施形態の一例である敷設パネル（作業用敷設パネル）１の斜視図である。図２は、本発明の実施形態の一例である敷設パネル１の平面図である。図３は、本発明の実施形態の一例である敷設パネル１の側面図（図２における矢示III方向からの側面図）である。図４は、複数の敷設パネル１を連結した状態の平面図である。
【００２０】
<敷設パネルの構造>
図１に示す通り、本発明の実施形態の一例である敷設パネル１は、略矩形のパネル本体８から２つの鍵部（突起部）１０が突出して形成されると共に、パネル本体８の上面８Ａに２つの鍵穴部（凹溝）２０が形成された構成とされている。
【００２１】
パネル本体８は厚みＤ１をもって構成されている。また、鍵穴部２０は、パネル本体８を側面視した場合に、該パネル本体８の上面８Ａから深さＤ２をもって形成されている。この鍵穴部２０の深さＤ２は、パネル本体８の厚みＤ１よりも小さくなっている。鍵部１０は、パネル本体８の上面８Ａから厚みＤ３をもって当該パネル本体８の側面から外側に向かって突出して形成されている。この鍵部１０の厚みＤ３は、パネル本体８の厚みＤ１よりも小さくなっている。なお、後述するように、鍵部１０は、隣り合う他の敷設パネル１に形成された鍵穴部２０に嵌合可能とされている（図４参照）。
【００２２】
本実施形態では、パネル本体８の形状が略矩形とされ、鍵部１０がパネル本体８の隣り合う２つの側面から突出して形成されている。更に、他の隣り合う２つの側面からパネル本体８の上面８Ａを介してパネル本体８の中心部に向って鍵穴部２０が延在して形成されている。なお、敷設パネル１の構成はこれに限定されるものではなく、例えば、パネル本体８は三角形でもよいし、五角形、六角形等、隙間なく平面的な配列が可能な限りにおいて自由な構成を採用することが可能である。また、鍵部１０や鍵穴部２０が、矩形のパネル本体８におけるそれぞれ対向する側面に形成されるような構成を採用してもよい。
【００２３】
また鍵部１０は、図２に示しているように、幅広（Ｗ１）に構成された張出部（先端部）１０Ａと、張出部１０Ａの幅Ｗ１よりも幅狭（Ｗ２）に構成された括れ部（非先端部）１０Ｂとから構成されている。なお本実施形態では、鍵部１０を平面視した場合の形状が所謂「キノコ形状」となっているが、鍵部１０の先端部分の幅が非先端部分の幅よりも大きく構成されている限りにおいて、具体的な形状は自由である。
【００２４】
また、図３に示しているように、パネル本体８は３つの層から構成されている。鍵部１０や鍵穴部２０が形成されている上層部２と、当該上層部２の下側に形成されている中層部４と、パネル本体８の底面８Ｂを形成する下層部６である。
【００２５】
上層部２は、例えば、ＰＰ（ポリプロピレン）等の硬質のプラスチック材料にて構成されている。上層部２では、特に強度面、耐摩耗性などの性能を重視した材料が選択される。ＰＰは汎用プラスチックとして広く利用されている熱可塑性の樹脂の一つであり、調達が容易で、軽量、高強度、高耐熱等の利点がある。なお、廃棄プラスチック材料を加工して利用すれば、資源のリサイクルに有効である。
【００２６】
中層部４は、例えば、ＰＵＲ（ポリウレタン）等の軟質のプラスチック材料やゴム材にて構成されている。ＰＵＲ（ポリウレタン）は、衝撃吸収性、断熱性、吸音性に優れ、中層部４の素材として好適である。中層部４では、特に、振動の減衰性能（減振機能）を重視した材料が選択されるべきであるが、ＰＵＲのほか、例えば、廃タイヤ材料を加工して利用すれば、優れた減衰性能を発揮できると共に資源のリサイクルに有効である。また、発泡性のプラスチック材料を利用すれば、敷設パネルを軽量に構成することができ、設置や撤収作業が容易となる。
【００２７】
下層部６は、例えば、上層部２と同様の素材（上記例で言うならばＰＰ）が好ましい。これは、いわゆるサンドイッチ構造とすることにより、いずれを表面として使用することもできる利便性が得られるためである。
【００２８】
なお、上記では３層構造としているが、使用する材料の種類や、想定される作業機械の重量、使用される地域の気温等の応じて適宜変更可能である。例えば、上層部２の更に上部に、耐久性向上のための金属材料を層状に配置してもよい。
【００２９】
また、使用環境に応じて、パネル本体８の上面８Ａや底面８Ｂには所定の凸凹を形成してもよい。上面８Ａ側に凸凹を形成すれば、作業機械に付着した泥などを取り除き、適切なグリップ力を発揮させることができる。また、底面側８Ｂに凸凹を形成すれば、地面に対する密着性を担保でき、敷設パネル１のズレを防止することができる。
【００３０】
<敷設パネルの使用方法>
図４に示しているように、現場では、同じ種類の敷設パネル１を複数用意した上で、当該複数の敷設パネル１が互いに連結されて使用される。ここでは概略的に４つの敷設パネル１が連結されている状態を示している。特定の敷設パネル１に形成されている鍵部１０が隣りあう他の敷設パネル１に形成されている鍵穴部２０に嵌合するように連結されている。この状態で現場に敷設され、当該敷設パネル１上を解体作業などに使用される作業機械が移動する。
【００３１】
このように、本発明を適用した敷設パネル１では、別途係止具を用いることなく、鍵部１０と鍵穴部２０との嵌合によって隣り合う敷設パネル１を連結しているため、敷設パネル１を配置すると同時に敷設パネル１同士の連結も完了するため、敷設パネル１の設置作業が簡易かつ短時間で完了する。勿論作業者は、敷設パネル１の配置変更時や撤収時においても、わざわざ係止具を取り外すといった付帯作業は不要である。また、特定の敷設パネル１にのみ作業機械からの荷重がかかった場合でも、鍵部１０および鍵穴部２０を介して当該荷重を隣り合う敷設パネル１に分散することが可能である。例えば、軟弱地盤上に当該敷設パネル１が配列されている場合でも、特定の敷設パネル１が沈み込むことを防止することができると共に、敷設パネル１同士の連結が外れてしまうこともない。
【００３２】
また、本実施形態においては、鍵穴部２０の深さＤ２と鍵部１０の厚みＤ３とが同一とされているため、連結時にフラットな面を提供でき、現場作業者が躓いてしまう等の危険を回避することが可能となっている。
【００３３】
また、上記説明した実施形態とは異なるが、鍵穴部２０と鍵部１０とをパネル本体８における同一の側面に形成すれば、隣り合う敷設パネル１のいずれにのみ荷重がかかった場合でも、その荷重を鍵部１０、鍵穴部２０を介して隣り合う他の敷設パネル１側へと分散することが可能となり、より連結強度に優れた敷設パネル１を提供することができる。上記説明した実施形態においては、鍵穴部２０と鍵部１０とがパネル本体８における異なる側面に形成されていた。確かにこのような場合、連結作業が容易となる利点があるが、一部の敷設パネル８においては、かかった荷重を他の隣り合う敷設パネル１に分散できない場合がある。具体的に図４を用いて説明すると。左下の敷設パネル１（記号Ｃ）に荷重がかかった場合には、鍵部１０および鍵穴部２０を介して左上の敷設パネル１（記号Ａ）および右下の敷設パネル１（記号Ｄ）に荷重を分散することができる。また、左上の敷設パネル１（記号Ａ）に荷重がかかった場合には、鍵部１０および鍵穴部２０を介して右上の敷設パネル１（記号Ｂ）に荷重を分散することができる。また、右下の敷設パネル１（記号Ｄ）に荷重がかかった場合には、鍵部１０および鍵穴部２０を介して右上の敷設パネル１（記号Ｂ）に荷重を分散することができる。しかし、右上の敷設パネル１（記号Ｂ）に荷重がかかった場合には、鍵部１０を介して他の敷設パネル１へと荷重を分散することができない。
【００３４】
その点、鍵穴部２０と鍵部１０とをパネル本体８における同一の側面に形成すれば、隣り合う敷設パネル１のいずれにのみ荷重がかかった場合でも、もれなくその荷重を鍵部１０、鍵穴部２０を介して他の敷設パネル１側へと分散することが可能となる。
【００３５】
また、パネル本体８の全ての側面に鍵穴部３０若しくは鍵部１０の少なくとも一方を形成すれば、多数の他の敷設パネル１と連結することが可能となるため、敷設パネル１の連結自由度を高めることが可能となる。
【００３６】
また、本実施形態においては、パネル本体８を平面視した場合に、鍵部１０の張出部（先端部分）１０Ａが括れ部（非先端部分）１０Ｂよりも幅方向に大きくなるように構成されていた。よって、作業機械の移動等によって敷設パネル１の水平方向に過度の引張力が発生した場合でも、当該幅広部分の存在によって、敷設パネル１の連結が解かれることを防止している。
【００３７】
また、本実施形態においては、パネル本体８が３層以上の層状構造とされ、鍵穴部２０および鍵部１０が上層部２内で形成されるような構成とされていた。即ち、敷設パネル１の連結に必要な強度をもたせる上で有利な材料を選択して鍵部１０や鍵穴部２０を形成できると共に、他の層では振動の減衰等に有利な材料を用いることが容易となっている。
【００３８】
なお、本発明に係る敷設パネルは、減振目的での敷設のほか、土木、建築、解体現場等で従来、（作業のための仮舗装の代わりに）いわゆる「敷鉄板」として鉄板を敷いていたような状況においても適用でき、軽量化、広い面積での容易な敷設、荷重の分散等の良好な作用を得ることができる。
【産業上の利用可能性】
【００３９】
本発明は、特に、都市部の商業地域や住宅密集地域などにおいて、土木作業や建設作業、解体作業等の作業現場に敷設することで、作業機械の走行に起因する振動の発生や路面の損傷を低減し、また、作業路面を安定化させることができ、快適な作業環境を維持するために利用される。
【図面の簡単な説明】
【００４０】
【図１】本発明の実施形態の一例である敷設パネルの斜視図
【図２】本発明の実施形態の一例である敷設パネルの平面図
【図３】本発明の実施形態の一例である敷設パネルの側面図
【図４】複数の敷設パネルを連結した状態の平面図
【図５】特許文献１に記載されている防振材（敷設パネル）
【符号の説明】
【００４１】
１…敷設パネル
２…上層部
４…中層部
６…下層部
８…パネル本体
８Ａ…上面（パネル本体の上面）
８Ｂ…底面（パネル本体の底面）
１０…鍵部（突起部）
１０Ａ…張出部
１０Ｂ…括れ部
２０…鍵穴部（凹溝）
【図１】
2010065409.tif 000003
【図２】
2010065409.tif 000004
【図３】
2010065409.tif 000005
【図４】
2010065409.tif 000006
【図５】
2010065409.tif 000007